(57)【要約】【課題】  デジタルプリンタでの印刷用に、デジタルカメラによって撮像される画像をすぐにかつ容易に選択できるシステムを提供する。【解決手段】  本発明のシステムは、画像を撮像するデジタルカメラと、ハードコピー印刷物を作成するプリンタとを備える。デジタルカメラは、画像を撮像する画像センサと、撮像された複数の画像を記憶するメモリと、記憶された画像を表示する画像ディスプレイとを備える。プリンタは、画像を印刷物に提供するマーキング装置と、カメラからプリンタに画像を移送する電気的インタフェースと、デジタル写真システムを制御して、スライドショー動作モードを提供し、設定された期間中に、撮像された複数の画像の各々を、現在の画像として画像ディスプレイに表示し、設定された期間中に、印刷指令ユーザ制御に関与するユーザに応答して、現在表示された画像が印刷されるべきであることを示す印刷指令を提供するユーザ制御装置とを備える。【選択図】図１
2004291630.tif 000002
【特許請求の範囲】
【請求項１】
画像を撮像するデジタルカメラと、ハードコピー印刷物を作成するプリンタとを備えるデジタル写真システムであって、
前記デジタルカメラは、
画像を撮像する画像センサと、
撮像された複数の画像を記憶するメモリと、
記憶された前記画像を表示する画像ディスプレイと
を備え、
前記プリンタは、
前記画像を印刷物に提供するマーキング装置と、
前記カメラから前記プリンタに画像を移送する電気的インタフェースと、
前記デジタル写真システムを制御して、スライドショー動作モードを提供し、設定された期間中に、撮像された複数の前記画像の各々を、現在の画像として画像ディスプレイに表示し、設定された前記期間中に、印刷指令ユーザ制御に関与するユーザに応答して、現在表示された画像が印刷されるべきであることを示す印刷指令を提供するユーザ制御装置と
を備えるシステム。
【請求項２】
電子カメラを用いて複数の画像を撮像かつ記憶する撮像記憶ステップと、
印刷指令ユーザ制御を提供する第１の提供ステップと、
第１の期間に記憶された複数の画像の中の第１の画像を画像ディスプレイに表示する第１の表示ステップと、
前記第１の期間中、前記印刷指令ユーザ制御に関与するユーザに応答して、前記第１の画像が印刷されるべきであることを示す印刷指令を提供する第２の提供ステップと、
前記第１の期間の終わりに、第２の期間中に記憶された複数の画像の中の第２の画像を自動的に表示する第２の表示ステップと、
前記第２の期間中、前記印刷指令ユーザ制御に関与するユーザに応答して、前記第２の画像が印刷されるべきであることを示す印刷指令を提供する第３の提供ステップと
を含む印刷物生成方法。
【請求項３】
デジタル画像の集合を提供する第１の提供ステップと、
印刷指令ユーザ制御を提供する第２の提供ステップと、
第１の期間中に、前記デジタル信号の集合の中の第１の画像を、画像ディスプレイに表示する表示ステップと、
前記第１の期間中、前記印刷指示ユーザ制御に関与するユーザに応答して、前記第１の画像が印刷されるべきであることを示し、前記第１の期間を、より長い期間まで増加させる印刷指令を提供する第３の提供ステップと、
より長い前記期間の終わりに、自動的に、複数の記憶された画像の中の第２の画像を表示する表示ステップと
を含む印刷物生成方法。
【発明の詳細な説明】
【技術分野】
【０００１】
本発明は、デジタルカメラ、及びデジタルプリンタを含むカラーデジタル写真システムに関し、より詳細には、デジタルプリンタで印刷するためにデジタルカメラによって撮像された画像を見て選択するためのユーザインタフェースに関する。
【背景技術】
【０００２】
デジタルカメラ、及びデジタルプリンタは、イーストマンコダック社、及び他の多くの供給元から入手可能である。コダックＤＸ４３００カメラ等の現在のデジタルカメラは、単一チップカラーＣＣＤ画像センサを用いて画像を撮像し、その画像を処理して「完成した」ＲＧＢ画像を提供し、その画像を、ＪＰＥＧ圧縮を用いて圧縮し、その画像を、内部フラッシュＥＰＲＯＭメモリを用いて、及び／又は、取り外し可能なメモリカードを用いて記憶することができる。その画像は、カメラの背部のＬＣＤ画像ディスプレイ上で検討可能であり、不要な画像は削除できる。検討表示を対象の第１の画像まで進め、画像が表示されるとき「印刷」ボタンを押し、その後、望まれる印刷の枚数を示すことによって、印刷する１つの画像が選択できる。カメラは、その後、ユーザによって選択された、第１の画像の名前とコピー枚数を示すＤＰＯＦプリント指令ファイルを生成する。それから、ユーザは、対象となる第２の画像を検索するために、画像ディスプレイを手動で進める。ユーザは、再び、「印刷」ボタンを押し、この第２の画像の望まれるコピー枚数を示す。その後、カメラは、第２の画像の名前、及びコピー枚数を含む新しい「ジョブ」を、元のＤＰＯＦファイルに付け加えることによって、ＤＰＯＦプリントオーダファイルを更新する。ユーザは、印刷される全ての画像が選択されるまで、この方法を続ける。
【０００３】
その後、メモリカードは、デジタルカメラから取り外され、コダックパーソナルピクチャーマーカＰＭ２００等のデジタルカメラプリンタに位置される。このプリンタは、既知のコンパクトフラッシュやスマートメディアフラッシュＥＰＲＯＭメモリカードのメモリカードスロットを含む。ＤＰＯＦファイルは、プリンタによって読み出され、例えば、フォトインクジェット用紙をマークするカラーインクジェットヘッドを使用することにより、所望の印刷が作成できる。
【発明の開示】
【発明が解決しようとする課題】
【０００４】
これらの従来のシステムは、都合の悪いことに、対象となる写真を探索し、印刷される枚数を特定するために、ユーザが多くの動作シーケンスを実行することを要求する。これは、ユーザが、多くの異なる画像を含む大きな印刷指令を生成することを困難にする。デジタルプリンタで印刷するために、デジタルカメラによって撮像される画像が、すぐにかつ容易に選択されることを可能にする、より容易に印刷指令を生成する方法が必要とされる。
【課題を解決するための手段】
【０００５】
本発明は、デジタルカメラ及びデジタルプリンタを含む写真システムを提供する。その写真システムは、画像を撮像するデジタルカメラと、ハードコピー印刷物を作成するプリンタとを備える。前記のデジタルカメラは、画像を撮像する画像センサと、撮像された複数の画像を記憶するメモリと、記憶された前記の画像を表示する画像ディスプレイとを備える。前記のプリンタは、前記の画像を印刷物に提供するマーキング装置と、前記のカメラから前記のプリンタに画像を移送する電気的インタフェースと、前記のデジタル写真システムを制御して、スライドショー動作モードを提供し、設定された期間中に、撮像された複数の前記の画像の各々を、現在の画像として画像ディスプレイに表示し、設定された前記の期間中に、印刷指令ユーザ制御に関与するユーザに応答して、現在表示された画像が印刷されるべきであることを示す印刷指令を提供するユーザ制御装置とを備える。
【０００６】
本発明は、さらに、印刷物を生成する方法を提供する。その印刷物生成方法は、電子カメラを用いて複数の画像を撮像かつ記憶する撮像記憶ステップと、印刷指令ユーザ制御を提供する第１の提供ステップと、第１の期間に記憶された複数の画像の中の第１の画像を画像ディスプレイに表示する第１の表示ステップと、前記の第１の期間中、前記の印刷指令ユーザ制御に関与するユーザに応答して、前記の第１の画像が印刷されるべきであることを示す印刷指令を提供する第２の提供ステップと、前記の第１の期間の終わりに、第２の期間中に記憶された複数の画像の中の第２の画像を自動的に表示する第２の表示ステップと、前記の第２の期間中、前記の印刷指令ユーザ制御に関与するユーザに応答して、前記の第２の画像が印刷されるべきであることを示す印刷指令を提供する第３の提供ステップとを含む。
【０００７】
本発明は、さらに、デジタル画像の集合を提供する第１の提供ステップと、印刷指令ユーザ制御を提供する第２の提供ステップと、第１の期間中に、前記のデジタル信号の集合の中の第１の画像を、画像ディスプレイに表示する表示ステップと、前記の第１の期間中、前記の印刷指示ユーザ制御に関与するユーザに応答して、前記の第１の画像が印刷されるべきであることを示し、前記の第１の期間を、より長い期間まで増加させる印刷指令を提供する第３の提供ステップと、より長い前記の期間の終わりに、自動的に、複数の記憶された画像の中の第２の画像を表示する表示ステップとを含む印刷物生成方法を提供する。
【０００８】
本発明は、さらに、デジタル画像の集合を提供するステップと、印刷指令ユーザ制御を提供するステップと、デジタル画像の集合を、自動的に更新される画像のシーケンスとして、画像ディスプレイに表示するステップと、そのデジタル画像の集合のサブセットの表示中に、印刷指令ユーザ制御に関与するユーザに応答して、そのデジタル画像のサブセットが印刷されるべきであることを示す印刷指令を提供するステップとを含む印刷物生成方法を提供する。
【０００９】
本発明は、さらに、デジタルカメラを用いた印刷指令生成方法を提供する。その方法は、デジタルカメを用いて、デジタル画像の集合を撮像し記憶するステップと、デジタルカメラの画像ディスプレイに、自動的に更新される画像のシーケンスとして、デジタル画像の酒豪を表示するステップと、そのデジタル画像の集合のサブセットの表示中に、印刷指令ユーザ制御に関与するユーザに応答して、そのデジタル画像のサブセットが印刷されるべきであることを示す印刷指令を提供するステップとを含む。
【発明を実施するための最良の形態】
【００１０】
図面を参照すると、図１及び図３に、デジタルカメラ３００が示される。デジタルカメラ３００は、図１に示されるメモリカード３３０等のデジタル記憶媒体に、画像を記憶する。それは、カラーＬＣＤ画像ディスプレイ３３２に表示できる。図２及び図３に詳細に示されるデジタルプリンタ８００は、熱印刷ヘッド等のカラーマーキング装置４１２と、媒体移送機構４１０を用いたカラーハードコピー印刷物を生成する。デジタルプリンタ８００は、ＵＳＢインタフェース等のカメラインタフェース４２２を含む。そのカメラインタフェース４２２は、デジタルカメラ３００から画像を移して、カメラのカラーＬＣＤ画像ディスプレイ３３２に表示される画像を制御する。図２に示されるように、デジタルプリンタ８００は、デジタルカメラ３００内のメモリカード３３０に記憶された複数のデジタル画像からプリントされるべき特定の画像を選択するユーザ制御装置４３０を組み込む。デジタルプリンタ８００におけるユーザ制御装置４３０は、カメラ３００等の小型携帯デジタルカメラに取り付けるために小型である必要がないので、特に、プリンタ８００の容易な制御を提供するように用意される。
【００１１】
図１を詳細に参照すると、図１は、メモリカード３３０等のデジタル記憶媒体にデジタル画像を撮像し、かつ記憶するデジタルカメラ３００を示すブロック図である。デジタルカメラ３００は、図を有するズームレンズ３１２、フォーカスモータ駆動部３１０、及び調節可能なアパーチャ及びシャッタ（図示されない）を含む。デジタルカメラ３００は、図３にユーザ制御装置３０３Ａ−３０３Ｇとして示されるユーザ制御装置３０３を含む。ユーザは、図３に示された光学ビューファインダ３１１、及びズームレンズ制御スイッチ３０３Ｂを使用して画像を構成する。ズームレンズ３１２は、シーン（図示されない）からの光を、既知のバイヤーカラーフィルタパターンを用いて、例えば、単チップカラーＣＣＤ画像センサ等の画像センサ３１４に合焦する。画像センサ３１４は、クロックドライバ３０６によって制御される。ズームおよびフォーカスモータ３１０及びクロックドライバ３０６は、制御処理装置およびタイミング生成回路３０４によって供給される制御信号によって制御される。ユーザが写真を撮るためにシャッタボタン３０３Ａ（図３）を押すとき、制御処理装置およびタイミング生成器３０４は、自動焦点および自動露出検知器３０８から入力を受け取り、フラッシュ３０２を制御する。画像センサ３１４からのアナログ出力信号は増幅され、アナログ信号処理装置（ＡＳＰ）およびアナログデジタル（Ａ／Ｄ）変換回路３１６によってデジタルデータに変換される。デジタルデータは、ＤＲＡＭバッファメモリ３１８に記憶され、続いて、ファームウェアメモリ３２８に記憶されるファームウェアによって制御される画像処理装置３２０によって処理される。ファームウェアメモリ３２８は、フラッシュＥＰＲＯＭメモリであってよい。カメラ画像処理装置は、汎用デジタル信号処理装置、又は特にデジタルカメラ用に設計された特別注文の処理装置であってよい。別の実施の形態において、画像処理装置３２０、ファームウェアメモリ３２８、ＲＡＭメモリ３２６、ファームウェアメモリ３２８、ＤＲＡＭバッファメモリ３１８、及び／または、制御処理装置およびタイミング生成器３０４は、１以上の集積回路に結合されてもよい。
【００１２】
デジタルカメラ３００の電源は、電源回路３６２を介して、再充電可能電池３６０によって提供される。いくつかの実施の形態において、再充電可能電池３６０は、連結器３５２によって提供される電源から再充電可能である。
【００１３】
処理されたデジタル画像ファイルは、メモリカード３３０にデジタル画像ファイルを記憶するカメラメモリカードインタフェース３２４に提供される。本明細書における一例として説明される取り外し可能なメモリカード３３０は、当業者に既知であり、デジタル記憶媒体の一種である。メモリカード３３０は、１９９８年、８月５日に、カリフォルニア州パロアルトのコンパクトフラッシュ協会によって発行された「ＣｏｍｐａｃｔＦｌａｓｈ Ｓｐｅｃｉｆｉｃａｔｉｏｎ Ｖｅｒｓｉｏｎ １．３」に記述される、コンパクトフラッシュインタフェース標準に従ってもよい。あるいは、取り外し可能なメモリカードは、ＰＣＭＣＩＡ、スマートメディア、メモリスティック、又はＳＤメモリカードフォーマットであってもよい。本発明はメモリカードに限られず、磁気ハードドライブ、磁気テープ、又は光学ディスク等の他の種類のデジタル記憶媒体が、デジタル画像を記録するために使用されてもよいことが留意される。
【００１４】
処理装置３２０は、スイス、ジュネーブ、国際電気標準会議から入手可能な「ＩＥＣ ６１９６６−２−１ マルチメディアシステム及び装置−色測定及び管理−パート２-１：色管理−デフォルトＲＧＢ色空間−ｓＲＧＢ（Ｍｕｌｔｉｍｅｄｉａ ｓｙｓｔｅｍｓ ａｎｄ ｅｑｕｉｐｍｅｎｔ−Ｃｏｌｏｕｒ ｍｅａｓｕｒｅｍｅｎｔ ａｎｄ ｍａｎａｇｅｍｅｎｔ−Ｐａｒｔ２−１： Ｃｏｌｏｕｒ ｍａｎａｇｅｍｅｎｔ−Ｄｅｆａｕｌｔ ＲＧＢ ｃｏｌｏｕｒ ｓｐａｃｅ−ｓＲＧＢ）」に定義されたレンダｓＲＧＢ画像データを作成するために、色補正及び色調補正の前に色補間を実行する。その後、レンダｓＲＧＢ画像データは、日本、東京、日本電子工業振興協会から入手可能なＪＥＩＤＡ−４９−１９９８、２．１版、デジタルスチルカメラ画像ファイルフォーマット標準（デジタルスチルカメラのための交換可能な画像ファイルフォーマット）に定義されたＪＰＥＧ／Ｅｘｉｆ版２．１を用いて、ＪＰＥＧ圧縮され、ＪＰＥ画像ファイルとしてメモリカード３３０に記憶される。ＪＰＥＧ／Ｅｘｉｆ画像ファイルは、コンピュータ及び独立型プリンタ等の多くの異なる画像有能装置によって使用できる。
【００１５】
Ｅｘｉｆ画像ファイルは、日本、東京、日本電子工業振興協会（ＪＥＩＤＡ）による１９９８年１２月の「カメラファイルシステムについての設計ルール」に定義されたいわゆる「ＤＣＦ」ルールに従うディレクトリ構造を用いて、取り外し可能メモリカード３３０に記憶される。取り外し可能メモリカード３３０に記録されたディレクトリ構造の例は、図７に示される。図７に示されるように、ディレクトリは、ルートディレクトリ６００で記録される。第１は、ＡＵＴＰＲＩＮＲ．ＭＲＫという名の制御ファイル６１２と、ＡＵＴＸＦＥＲ．ＭＲＫという名の制御ファイル６１４を含むＭＩＳＣディレクトリ６１０である。制御ファイル６１２，６１４は、後述されるように、印刷される及び電子メールが送られる画像を特定するＤＰＯＦ画像利用ファイルである。
【００１６】
ルートディレクトリ６００の下で記録される第２のディレクトリは、サブディレクトリ６３０を含むＤＣＩＭディレクトリ６２０である。サブディレクトリ６３０は、１００Ｋ４３００と名付けられ、ＤＣＦルールに従い、９つのＪＰＥＧ圧縮Ｅｘｉｆ画像ファイル、ＤＣＰ＿１６８６．ＪＰＧと名付けられたファイル６３２、ＤＣＰ＿１６８７．ＪＰＧと名付けられたファイル６３４、ＤＣＰ＿１６８８．ＪＰＧと名付けられたファイル６３６、ＤＣＰ＿１６８９．ＪＰＧと名付けられたファイル６３８、ＤＣＰ＿１６９０．ＪＰＧと名付けられたファイル６４０、ＤＣＰ＿１６９１．ＪＰＧと名付けられたファイル６４２、ＤＣＰ＿１６９２．ＪＰＧと名付けられたファイル６４４、ＤＣＰ＿１６９３．ＪＰＧと名付けられたファイル６４６、ＤＣＰ＿１６９４．ＪＰＧと名付けられたファイル６４８を含む。上述のファイル６３２からファイル６４８は、デジタルカメラ３００によって撮像されたＥｘｉｆ画像ファイルである。
【００１７】
また、処理装置３２０は、Ｋｕｃｈｔａ等に対する同一出願人による米国特許第５１６４８３１号「最大解像度、及び低解像度画像のマルチフォーマットを提供する電子スチルカメラ（Ｅｌｅｃｔｒｏｎｉｃ ｓｔｉｌｌ ｃａｍｅｒａ ｐｒｏｖｉｄｉｎｇ ｍｕｌｔｉ−ｆｏｒｍａｔ ｓｔｒａｇｅ ｏｆ ｆｕｌｌ ａｎｄ ｒｅｄｕｃｅｄ ｒｅｓｏｌｕｔｉｏｎ ｉｍａｇｅｓ）」で説明されるような「サムネイル」サイズの画像を生成する。これらのサムネイル画像は、Ｅｘｉｆ画像の一部として、主要（例えば、高解像度）画像
と共に含まれる。Ｅｘｉｆ画像ファイルからのサムネイル画像は、メモリカード３３０から読み出され、ＲＡＭメモリ３２６に記憶され、ユーザが検討するために撮像画像を表示するカラーＬＣＤ画像ディスプレイ３３２に供給されることが可能である。ユーザ制御装置３０３、及びディスプレイ３３２に表示されるテキスト、アイコン、及び画像は、カメラグラフィックユーザインタフェース（カメラＧＵＩ）を提供する。図３に示されるように、ユーザ制御装置３０３は、多くの小型ボタン３０３Ｃ−３０３Ｆ、４方向制御装置３０３Ｇを含む。これらの制御装置は、カメラ３００の背面に取り付けるために小さくなければ成らず、それらが、写真撮影操作中に邪魔に成らないように配置される。シャッタボタン３０３Ａによって一連の画像が撮影された後、撮像画像がカラー画像ディスプレイ３３２上で検討できるように、検討スイッチ３０３Ｆが押されてもよい。
【００１８】
カメラがプリンタと別個に操作されるとき、カメラグラフィックユーザインタフェースは、処理装置がユーザ制御装置３０３にどのように応答するか制御し、ディスプレイ３３２に表示される情報を生成するファームウェアメモリ３２８に記憶されたファームウェアのユーザインタフェース部によって制御される。ディスプレイ３３２は、アクティブマトリックスカラーＬＣＤディスプレイであってよい。あるいは、それは、有機発光ダイオード（ＯＬＥＤｓ）等の他の表示技術を用いてもよい。また、いくつかの実施の形態において、デジタルカメラ３００は、メモリカード３３０に記憶され、プリンタインタフェース３２２及び連結器３５２を経由してデジタルプリンタ８００に供給され、任意のテレビモニタ４７４（図２）上に表示するデジタル画像から、画像処理装置３２０によって生成される（ＮＴＳＣまたはＰＡＬビデオ信号等の）ビデオ出力信号を提供する。
【００１９】
デジタルカメラ３００は、ファームウェアメモリ３２８に記憶されたファームウェアを含み、画像処理装置３２０を制御してユーザによる印刷指令の生成を可能にする。印刷指令は、画像利用ファイル又は印刷指令ファイルとして知られるファイルとして記憶できる。そのファイルは、どの画像が印刷されるべきかを示す。そのような利用ファイルは、Ｐａｒｕｌｓｋｉ等に、１９９８年２月５日に出願された同一出願人による欧州特許出願第９８２００３４８．５号に説明される。印刷指令ファイル情報を含むファイルは、ユーザが、ディスプレイ３３２で撮像画像を見る間、ユーザ制御装置３０３を用いて印刷されるべき画像を選択するとき、生成され、その後、画像ファイルと共にメモリカード３３０に記憶される。印刷指令ファイルは、印刷用に選択された撮像画像の名前、及び個々の画像のコピーを何枚印刷すべきかを特定する（デジタルプリントオーダフォーマット（ＤＰＯＦ）ファイル等の）テキストファイルであってよい。
【００２０】
一連の画像が撮影されて、メモリカード３３０に記憶された後、カメラ３００は、図４に示されたデジタルプリンタ８００における凹部８０４に挿入される。プリンタ８００は、デジタルカメラ３００におけるプリンタインタフェース３２２を、デジタルプリンタ８００におけるカメラインタフェース４２２に電気的に相互連結するために、デジタルカメラ３００（図１）における連結器３５２と結合する連結器４５２を含む。ある好ましい実施の形態において、独占インタフェース仕様を含む、既知のＩＥＥＥ１３９４インタフェース仕様、又は他のケーブルインタフェース若しくはカードインタフェース仕様を含む、多くの他のインタフェース仕様が使用されるけれども、デジタルカメラ３００とデジタルプリンタ８００の間の電気的インタフェース３４２は、ＵＳＢバージョン２．０（ＵＳＢ２）インタフェース仕様を使用する。
【００２１】
図２は、デジタルプリンタのブロック図である。図３は、デジタルプリンタ８００の外観を示す。デジタルプリンタ８００は、インタフェース３４２を経由して、デジタルカメラ３００からメモリカード３３０に提供される画像から、デジタルプリント８１８（図３）を生成する。インタフェース３４２は、デジタルプリンタ８００における、処理装置４２０及びＰＣインタフェース４９２に接続されるカメラインタフェース回路４２２に接続される。ＰＣインタフェース４９２は、連結器４９４を介して、任意のコンピュータ４９６に接続できる。連結器４９４は、ＵＳＢ連結器であってよい。連結器４５２を経由して供給される、デジタルカメラ３００からのビデオ出力信号は、連結器４７２を用いてビデオドライバ回路４７０に接続する任意のテレビモニタ４７４に提供されてもよい。デジタルプリンタ８００は、プリンタ処理装置４２０の制御下で、ハードコピー媒体（例えば、用紙）を、マーキング装置４１２を過ぎて移動させる、モータ駆動ローラ等の媒体移送機構４１０を含む。処理装置４２０は、マーキング装置４１２を制御して、制御された量の種々のカラーインク又は染料を提供する。あるいは、カラーマーキング装置４１２は、カラーインクジェット、カラー電子写真、若しくはカラーインスタント技術を用いて、デジタルプリントを生成してもよい。図３に示されるように、デジタルプリンタ８００は、プリントがデジタルプリンタ８００から放出される用紙放出スロット８１６を含む。
【００２２】
デジタルプリンタ８００は、プリンタファームウェアメモリ４２８に記憶される、処理装置４２０が、ユーザ制御装置４３０にどのように応答するか制御するファームウェアによって制御される。デジタルカメラ３００によって生成される画像ファイルは、ＪＰＥＧ／Ｅｘｉｆ画像フォーマットを使用し、それらはＪＰＥＧ圧縮され、印刷前に解凍されなければならない。好ましい実施の形態において、この解凍は、デジタルプリンタ８００における処理装置４２０の要求される性能、及び費用を低減するために、カメラ３００における画像処理装置３２０によって提供される。この好ましい実施の形態において、画像処理装置３２０は、補間、鮮鋭化、及び色補正を提供し、マーキング装置４１２によって適切に使用される画像データを準備する。この処理された画像データは、その後、インタフェース４５２を経由して、デジタルカメラ３００からデジタルプリンタ８００に送られる。
【００２３】
ユーザは、プリンタユーザ制御装置４３０を用いてデジタルプリンタ８００を制御できる。ユーザ制御装置４３０、及びデジタルカメラ３００のカラーＬＣＤ画像ディスプレイ３３２、又は任意のテレビモニタ４７４（図２）に表示されたテキスト、アイコン、及び画像は、プリンタグラフィックユーザインタフェース（プリンタＧＵＩ）を提供する。プリンタＧＵＩは、プリンタファームウェアメモリ４２８に記憶されたファームウェアのユーザインタフェース部によって制御される。そのユーザインタフェース部は、処理装置４２０が、ユーザ制御部４３０、及びカメラファームウェアメモリ３２８に記憶されたファームウェアのカラーＬＣＤ画像ディスプレイ制御部にどのように応答するかを制御する。カメラファームウェアメモリ３２８に記憶されたファームウェアのカラーＬＣＤ画像ディスプレイ制御部は、画像処理装置３２０が、カラーＬＣＤ画像ディスプレイ制御部画像ディスプレイ３３２に表示された情報をどのように生成するか制御する。
【００２４】
メモリカード３３０に記憶された画像が、カラーＬＣＤ画像ディスプレイ３３２に表示されることを直ちに可能にするために、画像処理装置３２０は、メモリカード３３０に提供された画像から「サムネイル」サイズの画像をダウンロードする。これらのサムネイル画像は、ＲＡＭメモリ３２６に記憶され、ディスプレイ３３２に供給され、その結果、ユーザは、ユーザ制御装置４３０を用いてプリンタ８００で印刷されるべき画像を選択することができる。デジタルプリンタ８００におけるユーザ制御装置４３０は、デジタルプリンタ８００は、手持ち式の装置である必要がないので、デジタルカメラ３００におけるそれよりもずっと大きい。さらに、ユーザ制御装置４３０は、非常に使いやすいように配置され、ラベル付けされる。ＬＣＤ画像ディスプレイ３３２上で「サムネイル」サイズの画像を見るかわりに、任意のテレビモニタ４７４でビデオサイズの画像を見ることも可能である。
【００２５】
図４は、デジタルプリンタ８００の上面図を示す。プリンタ８００は、デジタルカメラ３００を受け入れる凹部８０４を有する隆起した上部領域８０２を含む。凹部８０４は、接続インタフェース領域８０６を含む。接続インタフェース領域８０６は、デジタルカメラ３００（図１）のプリンタインタフェース３２２を、デジタルプリンタ８００のカメラインタフェース４２２に電気的に相互接続させるために、デジタルカメラ３００における連結器３５２と結合する電気連結器４５２を含む。凹部８０４は、さらに、デジタルカメラ３００を機械的に固定するピンを含む。デジタルカメラ３００の底部の三脚マウントホール内を滑る隆起したポスト８１０、及びデジタルカメラ３００の底部の位置決めピン（図示されない）内で滑る位置決めピン８１２を含む。
【００２６】
デジタルプリンタ８００は、ユーザ制御装置４３０を含む。ユーザ制御装置４３０は、移送ボタン８５０及びスライドショーボタン８５２を含む。移送ボタン８５０は、デジタルカメラ３００のメモリカード３３０から任意のコンピュータ４９６（図２参照）に初期移送するために使用される。スライドショーボタン８５２は、デジタルカメラ３３２のＬＣＤ３３２、又はＮＴＳＣ若しくはＰＡＬビデオモニタ等の任意のテレビモニタ４７４（図２参照）で、メモリカード３３０に記憶された全ての画像のスライドショー表示を初期化するために使用される。スライドショー表示中、ユーザは、印刷ボタン８３６を押して、印刷指令を生成又は更新し、現在表示されている画像の印刷を指令することができる。
【００２７】
また、ユーザ制御装置４３０は、印刷モードディスプレイを有する、複数の状態アイコン８２２−８２８を含む印刷モード選択ユーザインタフェース８２０を含む。アイコン８２２は、「印刷指令」印刷モードを示し、アイコン８２４は、「現在の画像印刷」印刷モードを示し、アイコン８２６は、「全印刷」印刷モードを示し、アイコン８２８は、「インデックス印刷」印刷モードを示す。図５Ａ及び図５Ｂを参照して後述されるように、デジタルカメラ３００が、デジタルプリンタ８００に結合されるとき、デジタルカメラ３３０のメモリカード３３０は、ＤＰＯＦファイル等の印刷指令があるかどうかを判断するために照合される。印刷指令は、先に説明されたように、デジタルカメラを用いて、又は図６を参照して説明されるように、デジタルプリンタ８００の「スライドショー」特徴を用いて生成できる。もし、印刷指令があるなら、印刷モードは、自動的に、「印刷指令」モードに設定され、状態アイコン８２２が表示される。
【００２８】
もし印刷指令がないなら、印刷モードは、自動的に、「現在の画像を印刷」モードに設定され、状態アイコン８２４が表示される。「印刷モード」ボタン８３０は、モードを変化させるために使用される。ユーザがボタン８３０を押す度に、印刷モードは、次のモードに循環する。言い換えれば、もし現在のモードが「印刷指令」モードであるなら、モードは、最初にボタン８３０が押されたとき、「現在の画像を印刷」モードに変わり、その後、２回目にボタン８３０が押されるとき、「全印刷」モードに代わり、その後、三回目に、ボタン８３０が押されるとき、「インデックス印刷」モードに変わり、その後、４日目にボタン８３０が押されるとき、「印刷指令」モードに戻る。
【００２９】
また、ユーザ制御装置４３０は、「＋／−」ボタン８３２，８３４を含む。これらのボタンは、デジタルカメラ３００のカラー画像ディスプレイ３３２に表示される現在の画像が変わることを可能にする。例えば、ユーザは、印刷モードが「現在の画像を印刷」モードに設定され、その後、１以上の回数「＋」ボタン８３２を押して、現在の画像の代わりに次の画像を表示し、または、１以上の回数「−」ボタンを押して、現在の画像として、先の画像を表示する。その後、ユーザは、印刷ボタン８３６を押し、現在の画像の印刷をする。
【００３０】
デジタルプリンタ８００は、用紙詰まり又は空の用紙供給部等の用紙エラーを有するとき点滅する用紙エラーＬＥＤ８４４を含む。また、デジタルプリンタ８００は、デジタルプリンタ８００が、ドナーリボン詰まり等のドナーエラーを有するとき、又は、ドナーリボンが十分に使用されたとき点滅するドナーエラーＬＥＤ８４８を含む。デジタルプリンタ８００は、デジタルカメラ３００の再充電可能電池３６０（図１参照）の電池レベルを示すカメラ電池残量ＬＥＤ表示部８４６を含む。
【００３１】
図５Ａ及び図５Ｂ、並びに図６は、共に、典型的なユーザ対話シナリオのフロー図を示す。ブロック９００において、カメラユーザは、デジタルカメラ３００を用いて、多くのデジタル画像を撮像する。デジタル画像は、メモリカード３３０を用いて、Ｅｘｉｆ画像ファイルとして記憶される。ブロック９０２において、ユーザは、デジタルカメラ３００を用いて、印刷指令を生成するかどうかを判断する。もし、生成するなら、メモリカード３３０に記憶された撮像画像を検討し、印刷されるべき画像、及び各印刷のコピーの数を選択する。例えば、ユーザは、いくつかの画像のコピーを全く要求せず、他の画像の一枚のコピーを要求し、特定の好みの画像の２部以上のコピーを要求する。選択は、ユーザが、デジタルカメラ３００のカラー画像ディスプレイ３３２上で画像を見るとき、ユーザ制御装置３０３を用いてなされる。それに応じて、デジタルカメラ３００における画像処理装置３２０は、ＤＰＯＦファイルであってよい印刷指令ファイルを生成し、そのファイルをメモリカード３３０に記憶する。
【００３２】
ブロック９０４において、ユーザは、撮像画像のいくつかを印刷するために、デジタルプリンタ８００にデジタルカメラ３００を設置する。ブロック９０６において、ユーザは、デジタルプリンタ８００上のボタン８５２（図３に示される）を押すことによって、任意にスライドショーモードを選択する。これは、画像集合を通して手動で進める必要なく、画像が、画像ディスプレイ上で、一定間隔（例えば、５秒毎）で自動的に更新されるとき、ユーザが印刷用の画像を容易に選択することを可能にする。ユーザが印刷用の画像を選択するとき、プリンタは、印刷指令を生成し、現存する印刷指令を更新する。
【００３３】
ユーザがスライドショーボタン８５２を押した後、図５Ａのブロック９０６に提供されるステップが、図６により詳細に示される。ブロック９６０において、メモリカード３３０に記憶された第１の画像（例えば、図７におけるＤＣＰ＿１６８６．ＪＰＧと名付けられた画像６３２）が、現在の画像に設定される。ブロック９６２において、スライドショータイマがリセットされ、次の画像が表示されるべきときまでの時間のカウントが始まる。ある実施の形態において、デジタルカメラ３００における画像処理装置３２０は、スライドショータイマを提供し、画像に対する時間が、５秒等のデフォルト値に設定される。別の実施の形態において、スライドショータイマは、デジタルプリンタ８００における処理装置４２０によって提供され、各々の画像が表示される時間が、ユーザによって、例えば、ユーザ制御装置４３０を用いることによって、設定できる。
【００３４】
ブロック９６４において、デジタルカメラ３００における画像処理装置３２０は、現在の画像（例えば、図７における画像６３２）が、現在、印刷指令の一部であるかどうかを確認する。例えば、画像処理装置は、取り外し可能なメモリカード３３０上に、ＡＵＴＰＲＩＮＲ．ＭＲＫという名のＤＰＯＦ印刷指令ファイル６１２があるかどうかを確かめ、もしあるなら、この画像を含むプリントジョブがあるかどうかを確かめるために調査する。もしブロック９６４に対して「いいえ」なら、図８Ａに示されるように、現在の画像が、テキストオーバレイなく、カラー画像ＬＣＤディスプレイ３３２（図１参照）、または任意のテレビモニタ４７４（図２参照）に表示される。これは、ユーザが図５Ａのブロック９０２において、印刷指令を生成しない場合に当てはまる。もしブロック９６４に対して「はい」（現在の画像は、印刷指令に含まれる）なら、現在の画像は、現在の画像について指令された印刷の数を示すテキストオーバレイとともに表示される。図８Ｂは、「１部の印刷」が指示されたことを示すテキストオーバレイを有する同じ画像を示す。別の実施の形態において、指示された印刷の枚数は、アイコンを用いて示され、または、デジタルプリント上の別のディスプレイを用いて示されることが可能である。
【００３５】
ブロック９７０において、処理装置４２０は、ユーザが印刷指令ボタンの１つ（例えば、デジタルプリンタ８００上のユーザ制御装置４３０の１つ）を押したかどうかを判断する。別の実施の形態において，印刷指令ボタンは、印刷ボタン８３６（図４参照）である。この実施の形態において、印刷指令ボタンが押される度に、現在の画像の１部の追加印刷が、印刷指令に追加される。別の実施の形態において、複数のボタン（例えば、「−」ボタン８３２と、「＋」ボタン８３４）が使用でき、ユーザが、現在の画像についてなされる印刷の数を増加または（間違いの場合に）低減することを可能にする。
【００３６】
もし、ユーザが、ブロック９７０において印刷指令ボタンを押した（ブロック９７０に対して「はい」）なら、ブロック９７２において、印刷指令が更新される。ブロック９７２において、もし、現在、印刷指令がないなら、現在の画像（例えば、図７における画像６３２）が、印刷されるべきであること、及びコピーがなされる枚数を示す印刷指令が生成される。この印刷指令は、例えば、デジタルプリンタ８００のＲＡＭメモリ４２６における一時データとして記憶できる。あるいは、印刷指令ファイル（例えば、図７に示されるＡＵＴＰＲＩＮＲ．ＭＲＫと名づけられたファイル６１２）として、デジタルカメラ３００における取り外し可能メモリカード３３０として記憶されてもよい。もし、現在印刷指令があるなら（例えば、他の画像が印刷されるべきであることを示す印刷指令）、印刷指令は、現在の画像（例えば、図７における画像６３２）が、印刷されるべきであること、及びコピーされるべき枚数を示すように更新される。ブロック９７２における印刷指令の生成又は更新の後、ブロック９６４が繰り返される。その結果、現在の画像は、指示された印刷の数を示すテキストオーバレイとともに表示される（ブロック９６８）。
【００３７】
もし、ユーザが、ブロック９７０において、印刷指令ボタンを押さない（ブロック９７０に対して「いいえ」）なら、ブロック９７４において、デジタルカメラ３００における画像処理装置３２０が、表示時間が完了しているかどうかを確認する。もし、そうでない（ブロック９７４に対して「いいえ」）なら、ブロック９６４からブロック９７４が繰り返される。もし、表示時間が、ブロック９７４において、時間制限（例えば、２秒）に到達した（ブロック９７４に対して「はい」）なら、ブロック９７６において、デジタルカメラ３００における画像処理装置３２０が、現在の画像が、メモリカード３３０に記憶された最後の画像（例えば、図７におけるＤＣＰ＿１６９４．ＪＰＧという名の画像６４８）であるかどうか確認する。もし、現在の画像が、最後の画像でない（ブロック９７６に対して「いいえ」）なら、ブロック９７８において、デジタルカメラ３００における画像処理装置３２０は、次の画像（例えば、図７におけるＤＣＰ＿１６８７．ＪＰＧという名の画像６３４）を取得し、ブロック９６２において、新しい現在の画像のために表示タイマをリセットする。
【００３８】
その後、メモリカード３３０に記憶された全ての画像に対して、ブロック９６２からブロック９６４が繰り返される。ユーザが印刷指令ボタンを押す（ブロック９７０）毎に、印刷指令が、現在の画像が印刷されるべきであることを示すように更新される。従って、ユーザは、複数の画像を進めて、印刷指令を生成するために任意のボタンを押す必要がない。むしろ、画像は、自動的に進み、ユーザは、印刷される特定の画像を選択するとき、ボタンを押すだけでよい。画像（例えば、図７における画像６３２から画像６４８）の全てが表示された後、印刷指令が完了する。
【００３９】
もし、ブロック９８０において、現在の画像が最後の画像である（ブロック９７６に対して「はい」）なら、スライドショーモード（図５Ａにおけるブロック９０６）が完了し、図５Ａにおけるブロック９１０が実行される。もし、ユーザがスライドショー中に印刷指令ボタンを押したなら、ブロック９１０において、印刷指令が存在し、ブロック９１２において、「印刷指令」印刷モードが可能になる。
【００４０】
ある実施の形態において、印刷指令は、ＡＵＴＰＲＩＮＴ．ＭＲＫ印刷指令ファイル６１２（図７）として記憶される。その一例が、以下の（表１）に示される。
【表１】
2004291630.tif 000003
ファイルは、ヘッダ識別子（第１行の「ＨＤＲ」）、ＤＰＯＦ版番号（第２行の０１．１０）、ＤＰＯＦファイルを生成したデジタルカメラの型及びモデル（第３行のＫｏｄａｋ ＤＸ４３００ ズームデジタルカメラ）、及びＤＰＯＦファイルが生成された日付及び時間（第４行）を有するヘッダセクション（第１−４行）を含む。また、ファイルは、３つの「ＪＯＢ」セクションを含み、そのセクションの各々が、特定の画像ファイルの特定の印刷枚数を生成する意図を示す。
【００４１】
例えば、第５行目から１０行目は、製品ＩＤ１００を得得する第１のジョブに相当する。この第１のジョブは、ディレクトリＤＣＩＭ（第１０行）内のサブディレクトリ１００Ｋ４８００内の、ＤＣＭ＿１６８６．ＪＰＧと名づけられたＥｘｉｆ画像ファイル（第９行）を用いて、１つ（第８行におけるＱＮＴ＝００１）の標準型プリント（第７行におけるＴＹＰ＝ＳＴＤ）の品質を提供することである。言い換えれば、ユーザは、図７における画像ファイル６３２が１部コピーされるべきであることを示す印刷指令を生成するために、第１の画像が「スライドショー」の一部として表示されたときに１回、印刷ボタン８３６（図４）を押した。
【００４２】
同様に、第１１行から第１６行は、製品ＩＤ００２（第１２行）を有する第２のジョブに相当する。この第２のジョブは、ディレクトリＤＣＩＭ（第１６行）内のサブディレクトリ１００Ｋ４８００内の、ＤＣＭ＿１６８８．ＪＰＧと名づけられたＥｘｉｆ画像ファイル（第１５行）を用いて、２つ（第１４行におけるＱＮＴ＝００２）の標準型プリント（第１３行におけるＴＹＰ＝ＳＴＤ）の品質を提供することである。言い換えれば、ユーザは、図３における画像ファイル６３６が２部コピーがされるべきであることを示す印刷指令を生成するために、第３の画像が「スライドショー」の一部として表示されたときに２回、印刷ボタン８３６（図４）を押した。
【００４３】
ジョブ３（第１８−２２行）は、第２２行によって示された、１００Ｋ４８００と名づけられたフォルダ４３０内の、ＤＣＭ＿１６９２．ＪＰＧと名づけられたＥｘｉｆファイルである、図７における画像ファイル６４４の１つの標準サイズのコピーを印刷する意図を示す。言い換えれば、ユーザは、個の画像が、「スライドショー」の一部として表示される間、印刷ボタン８３６（図４）を押した。
【００４４】
図５Ａのブロック９１０において、システムは、印刷指令があるかどうかを判断する。ある実施の形態において、デジタルプリンタ８００における処理装置４２０は、デジタルカメラ３００における画像処理装置３２０に、メモリカード３３０に存在する印刷指令ファイル（例えば、表１に示された印刷指令ファイル）があるかどうかを判断するように要求を送る。別の実施の形態において、印刷指令は、デジタルファイル８００のＲＡＭメモリ４２６において印刷されるべき画像のリストとして記憶される。もし、印刷指令がある（ブロック９１０において「はい」）なら、ブロック９１２において、「印刷指令」印刷モードが、自動的に有効になり（例えば、デフォルトモードになり）、「印刷指令」印刷モードアイコン８２２が表示される。もし、印刷指令がない（例えば、もしユーザが、ブロック９０６において、「スライドショー」モードで印刷されるべき任意の画像を選択しなかった）なら、ブロック９２０において、「現在の画像」印刷モードが自動的に有効になり、「現在の画像」印刷モードアイコン８２４が表示される。「印刷指令」印刷モードが可能になる（ブロック９１２）なら、デジタルカメラ３００におけるＬＣＤ３３２、又は図２における任意のテレビモニタ４７４が、図９Ｂに示されたプリンタＧＵＩスクリーン４０００を表示する。この「印刷指令（ＰＲＩＮＴ ＯＲＤＥＲ）」スクリーンは、印刷されるようにタグが付された写真の数（例えば、５枚）、及び全ての印刷が要求される必要のあるページ数（例えば、９ページ）を表示する。
【００４５】
ブロック９１４において、印刷指令モードが有効になるので、もし、ユーザが印刷ボタン８３６を押すなら、ブロック９１６において、デジタルプリンタ８００は、ブロック９０６で生成された印刷指令で特定された画像を印刷する。画像を印刷した後、デジタルプリンタ８００は、印刷指令を消去する。
【００４６】
ブロック９１８において、もし、ユーザがモードボタン８３０を押すなら、ブロック９２０において「現在の画像」印刷モードが有効になる。「現在の画像」印刷モードが有効になるとき、デジタルカメラ３００におけるＬＣＤ３３２は、図９Ａに示されるプリンタＧＵＩスクリーン１０００を表示する。この「現行印刷（ＰＲＩＮＴ ＣＵＲＲＥＮＴ）」スクリーンは、現在の画像を表示する。ブロック９２２において、もし、ユーザが、次の画像に進むための「＋」ボタン８３４、及び先の画像に戻るための「−」ボタン８３２のいずれかを押すなら、ブロック９２４において、現在の画像が変化し、図９Ａに示された画像の代わりに、新しい画像が、「現在の」画像として表示される。ブロック９２６において、もし、ユーザが「印刷」ボタン８３６を押すなら、ブロック９２８において、デジタルプリンタ８００は、現在表示された画像を１部印刷する。これは、デジタルカメラ３００のカラー画像ディスプレイ３３２で現在表示されている画像である、単一の画像のみを印刷する非常に単純なモードを提供する。
【００４７】
ブロック９３０において、もし、ユーザがモードボタン８３０を押すなら、ブロック９３２において、「全印刷」印刷モードが可能になる。「全印刷」印刷モードが可能になるとき、デジタルカメラ３００のＬＣＤ３３２は、図９Ｃに示されるプリンタＧＵＩスクリーン２０００を表示する。この「全印刷（ＰＲＩＮＴ ＡＬＬ）」スクリーンは、印刷モードで全ての写真が印刷されることを示し、また、全ての印刷に必要なページの総数（例えば、３２ページ）も表示する。ブロック９３４において、もし、ユーザが「印刷」ボタン８３６を押すなら、デジタルプリンタ８００は、メモリカード３３０に記憶された画像の各々の１部の印刷を行う。これは、撮像画像の全てを印刷する非常に単純なモードを提供する。
【００４８】
ブロック９３８において、もし、ユーザがモードボタン８３０を押すなら、ブロック９４０において、「インデックス印刷」印刷モードが有効になる。「インデックス印刷」モードが有効になるとき、デジタルカメラ３００のＬＣＤ３３２は、図９Ｄに示されるプリンタＧＵＩスクリーン３０００を表示する。この「インデックス印刷（ＰＲＩＮＴ ＩＮＤＥＸ）」スクリーンは、全ての写真が、１以上のインデックス印刷として、この印刷モードで印刷されることを示し、また、インデックス印刷に必要な総ページ数（例えば、２ページ）を示す。ブロック９４２において、もし、ユーザが「印刷」ボタン８３６を押すなら、デジタルプリンタ８００は、要求されたインデックス印刷を行う。
【００４９】
ブロック９４６において、もし、ユーザがモードボタン８３０を押すなら、ブロック９１０において、メモリカード３３０は、それが、先に述べられたように、印刷指令ファイルを含むかどうかを判断するために確認される。もし含むなら、ブロック９１２において、「印刷指令」印刷モードが可能になる。もし含まないなら、ブロック９２０において、「現在の画像」印刷モードが可能になる。
【００５０】
図１０は、デジタルプリンタから印刷する画像を検討かつ選択する第２の方法を示すフロー図である。この実施の形態において、（メモリカード、ＣＤディスク、ＤＶＤディスク、フロッピーディスク等の）種々のデジタル記憶媒体の１つからのデジタル画像集合が、適当なインタフェースまたは（メモリカードスロット、ＣＤドライブ等の）リーダを用いてデジタルプリンタ８００に提供される。その画像の集合は、印刷指令なしで提供される。図１０に示された方法は、画像が自動的に最初から最後まで連続して表示されるとき、ユーザが、スライドショー画像表示中に、「印刷」ボタンを押すことによって、印刷指令を生成する単純で効率のよい方法を提供する。ブロック１００において、集合の第１の画像（メモリカード３３０に記憶された第１の画像（例えば、図７において、ＤＣＰ＿１６８６．ＪＰＧと名づけられた画像６３２）等）は、現在の画像に設定される。ブロック１０２において、スライドショータイマはリセットされ、次の画像が表示されるまで、時間のカウントを始める。好ましい実施の形態において、画像毎の時間は、５秒等のデフォルト値に設定される。
【００５１】
ブロック１０４において、現在の画像は、印刷指令に含まれないので、テキストオーバレイを全く伴わずに表示される。ブロック１０６において、デジタルプリンタ８００の処理装置４２０は、ユーザが印刷指令ボタン（例えば、印刷ボタン８３６（図４参照））を押したかどうか判断する。もし、ユーザが、画像が表示される時間中に、印刷ボタンを押す（ブロック１０６について「はい」）なら、ブロック１０８において、現在の画像（例えば、図７における画像６３２）の印刷が、印刷指令に追加される。この印刷指令は、例えば、デジタルプリンタ８００のＲＡＭメモリ４２６における一時データとして記憶されてもよい。ブロック１１０において、現在の画像は、画像が印刷指令に含まれたというテキストオーバレイ（または、他の種の指示）とともに表示される。
【００５２】
ブロック１１２において、印刷指令の印刷が初期化される。集合の他の画像は、スライドショー中、いまだ、表示されていないけれども、印刷指令における第１の画像の印刷が始まる。これは、印刷指令のプリントが、できるだけ早く完了することを可能にする。もし、第１の画像のプリントが、「スライドショー」の終わりまで始まらないなら、全ての画像を表示、選択、印刷する時間が、より長くなる。
【００５３】
ブロック１０６において、もし、ユーザが印刷指令ボタンを押さなかった（ブロック１０６に対して「いいえ」）なら、ブロック１１４において、デジタルプリンタ８００の処理装置４２０は、その表示時間が完了しているかどうかを確認する。もし、完了していない（ブロック１１４に対して「いいえ」）なら、ブロック１０６から１１４が繰り返される。もし、ブロック１１４において、表示時間が時間制限（例えば、５秒）に到達した（ブロック１１４に対して「はい」）なら、ブロック１１６において、デジタルプリンタ８００の処理装置４２０は、現在の画像（例えば、図７における画像６３２）が、メモリカード３３０、又は他のデジタル記憶媒体に記憶された最後の画像（例えば、図７において、ＤＣＰ＿１６９４．ＪＰＧと名づけられた画像６４８）であるかどうかを確認する。もし、現在の画像が最後の画像でない（ブロック１１６に対して「いいえ」）なら、ブロック１１８において、デジタルプリンタ８００における処理装置４２０は、次の画像（図７においてＤＣＰ＿１６８７．ＪＰＧと名づけられた画像６３４）を取得し、ブロック１０２において、新しい現在の画像のために、表示時間をリセットする。
【００５４】
その後、メモリカード３３０、又は他のデジタル記憶媒体に記憶された画像の全てに対して、ブロック１０２からブロック１１４が繰り返される。ユーザが印刷指令ボタンを押す（ブロック１０６）毎に、現在の画像が印刷されるべきであることを示す印刷指令が更新される。従って、ユーザは、画像を進めて印刷指令を構成するために任意のボタンを押す必要がない。むしろ、画像は、自動的に進められ、ユーザは、印刷されるべき特定の画像を選択するとき、ボタンを押す必要があるだけである。画像（図７における画像６３２から画像６４８）の全てが表示された後、印刷指令が完了する。
【００５５】
もし、現在の画像が最後の画像である（ブロック１１６に対して「はい」）なら、ブロック１２０において、スライドショーモードが終了し、ブロック１１２において初期化された印刷指令の印刷が、印刷指令における全ての画像が印刷されるまで続く。
【００５６】
図１１は、デジタルプリンタから印刷する画像を検討して選択する第３の方法のフロー図を示す。この実施の形態において、種々のデジタル記憶媒体（例えば、メモリカード、ＣＤディスク、ＤＶＤディスク、フロッピーディスク等）の１つからのデジタル画像の集合が、適当なインタフェース、又はリーダ（例えば、メモリカードスロット、ＣＤドライブ等）を用いて、デジタルプリンタ８００に提供される。画像の集合は、印刷指令なしで提供される。図１１に示された方法は、ユーザが、スライドショー画像表示中に、選択された画像について何枚のプリントがなされるべきであるかを示す、「印刷」ボタンを押すことによって、印刷指令を生成することを可能にする。ユーザが「印刷」ボタンを押すとき、特定の画像に対する表示時間が増し、それ故、ユーザが、その特定の画像について何枚の印刷がなされるべきかを判断するための多くの時間を有する。また、一旦、集合における画像の全てのスライドショーが完了すると、印刷指令に含まれるこれらの画像のみを提供する第２のスライドショーが、印刷指令を確認するために表示される。
【００５７】
ブロック１００ａにおいて、メモリカード３３０に記憶された集合の第１の画像（例えば、図７におけるＤＣＰ＿１６８６．ＪＰＧと名づけられた画像６３２）が、現在の画像に設定される。ブロック１０２ａにおいて、スライドショータイマがリセットされ、各々の画像を表示するために使用される標準的な時間までカウントアップを始める。好ましい実施の形態において、画像あたりの標準時間は、５秒等のデフォルト値に設定される。
【００５８】
ブロック１０４ａにおいて、現在の画像は、印刷指令に含まれないので、テキストオーバレイを全く伴わず表示される。ブロック１０７ａにおいて、デジタルプリンタ８００における処理装置４２０は、ユーザが印刷指令ボタン（例えば、単一の印刷をするための印刷ボタン８３６（図４参照）、又は、印刷数を増加、又は減少させる「＋」，「−」ボタン８３２，８３４）の１つを押したかどうかを判断する。もし、ユーザが、画像が表示される時間中に、印刷ボタンを押す（ブロック１０７ａに対して「はい」）なら、ブロック１０９ａにおいて、印刷指令が更新される。先に述べられたように、印刷指令は、例えば、デジタルプリンタ８００のＲＡＭメモリ４２６における一時データとして、又は、画像を記憶するために使用されるメモリカード３３０、又は他のデジタル媒体における印刷指令ファイルとして、記憶されることが可能である。ブロック１１１ａにおいて、現在の画像は、印刷されるべきこの画像のコピー枚数を示すテキストオーバレイ（又は、他の種類の指示）とともに表示される。
【００５９】
ブロック１１３ａにおいて、特定の画像に対する表示時間が増す。これは、ディスプレイタイマをリセットする（例えば、５秒タイマをリセットする）ことによって、又は全表示時間を、より大きい値（例えば、１０秒）まで増すことによって、なされることが可能である。表示時間を増すことは、印刷枚数を修正するために、ユーザに追加のボタンを押す時間をより多く与える。例えば、印刷ボタン８３６を押した後、ユーザは、「＋」ボタン８３４（図４参照）を押して、印刷枚数を増加させる、又は「−」ボタン８３２を押して、印刷枚数を減じること、又は、印刷をキャンセルする（現在、一部のプリントが指示されているだけである）ことができる。
【００６０】
ブロック１１３ａに続いて、又はユーザが、ブロック１０７ａにおいて、印刷指令ボタンを押さなかった（ブロック１０７ａに対して「いいえ」）なら、ブロック１１４において、デジタルプリンタ８００における処理装置４２０は、表示時間が完了したかどうかを確認する。もし完了していない（ブロック１１４ａに対して「いいえ」）なら、ブロック１０７ａから１１４ａが繰り返される。もし、ブロック１１４ａにおいて、表示時間が、時間制限（例えば、もし印刷ボタンが押されなかったなら５秒、もし印刷ボタンが押されたなら１０秒）に到達したなら、ブロック１１６ａにおいて、デジタルプリンタ８００における処理装置４２０は、現在の画像（例えば、図７における画像６３２）が、メモリカード３３０、又は他のデジタル記憶媒体に記憶された最後の画像（図７におけるＤＣＰ＿１６９４．ＪＰＧと名づけられた画像６４８）であるかどうかを確認する。もし、現在の画像が、最後の画像でない（ブロック１１６ａに対して「いいえ」）なら、ブロック１１８ａにおいて、デジタルプリンタ８００における処理装置４２０が、次の画像（例えば、図７におけるＤＣＰ＿１６８７．ＪＰＧと名づけられた画像６３４）を取得し、ブロック１０２ａにおいて、新しい現在の画像のために表示タイマをリセットする。
【００６１】
その後、メモリカード３３０、又は他のデジタル記憶媒体に記憶された画像の全てに対して、ブロック１０２ａから１１４ａが繰り返される。ユーザが印刷指令ボタンを押す（ブロック１０７ａ）毎に、現在の画像が何枚印刷されるべきかを示す印刷指令が更新され、現在の画像が、印刷指令にいつ追加されるかに関わらず、表示時間が増加する。従って、ユーザは、画像を進めて、印刷指令を構成するためにボタンを一切押す必要がない。むしろ、画像は自動的に進められ、ユーザは、印刷されるべき特定の画像を選択するとき、ボタンを押すだけでよい。全ての画像（図７における画像６３２から画像６４８）が表示された後、印刷指令が完了する。
【００６２】
もし、現在の画像が最後の画像（ブロック１１６ａに対して「はい」）なら、ブロック１２２ａにおいて、印刷指令に含まれたそれらの画像のみを示す第２のスライドショーが始まる。これは、ユーザが印刷指令を確認することを可能にする。印刷指令における画像の各々が、各々の画像についてなされるべき印刷の数を示すテキストオーバレイと共に、設定時間（例えば、５秒）の間表示される。この印刷指令確認スライドショーの最後に、ブロック１２４ａにおいて、ユーザが、「印刷」ボタン８３６（図４参照）を押して、印刷指令のプリントを始めるように指示される。
【００６３】
図１２は、デジタルプリンタ８００を用いることなく、デジタルカメラ３００から印刷する画像を検討して選択する方法のフロー図を示す。この実施の形態において、デジタルカメラ３００によって撮像されるデジタル画像の集合が、カラーＬＣＤ画像ディスプレイ３３２（図１参照。）にスライドショーとして表示される。各々の画像が連続して表示されるとき、ユーザは、印刷指令に画像を含むために、デジタルカメラ３００における「印刷指令」ボタンを押すことができる。ユーザが、「印刷ボタン」を押すとき、特定の画像の表示時間が増す。よって、ユーザは、特定の画像について、何枚印刷されるかを判断するより多くの時間を有する。一旦、集合における画像の全てのスライドショーが完了すると、印刷指令が、印刷指令ファイルに変換され、メモリカード３３０に記憶される。
【００６４】
ブロック２００において、デジタルカメラは、図１及び図７を参照して、先に説明されたように、画像ファイルとしてメモリカード３３０に記憶されるデジタル画像の集合を撮像する。ブロック２０１において、ユーザは、ユーザ制御装置３０３を用いて、カメラの「スライドショー印刷指令」モードを選択する。
【００６５】
ブロック２００において、デジタルカメラ３００における画像処理装置３２０が、集合の第１の画像（メモリカード３３０に記憶された第１の画像等（例えば、図７におけるＤＣＰ＿１６８６．ＪＰＧと名付けられた画像６３２））を、現在の画像に設定する。ブロック２０３において、スライドショータイマがリセットされ、各々の画像を表示するために使用される標準的な時間まで、カウントアップし始める。好ましい実施の形態において、画像に対する標準的な時間がデフォルト値、例えば、５秒に設定される。
【００６６】
ブロック２０４において、現在の画像は、印刷指令に含まれないのでテキストオーバレイを全く伴わず、カラーＬＣＤ画像ディスプレイ３３２に表示される。ブロック２０６において、デジタルカメラ３００における画像処理装置３２０は、ユーザが１つの印刷指令ボタンを押したかどうかを判断する。もし、ユーザが、画像が表示される時間中に、印刷ボタンを押す（ブロック２０６に対して「はい」）なら、ブロック２０８において、印刷指令が更新される。ある好ましい実施の形態において、印刷指令は、スライドショーが表示されるので、デジタルカメラ３００のＲＡＭメモリ３２６に、一時的に記憶され、スライドショー画像の全てが表示された後、印刷指令ファイルに変換される。ブロック２１０において、現在の画像は、印刷されるべきこの画像のコピー枚数を示すテキストオーバレイ（又は、他の種類の指示）とともに表示される。
【００６７】
ブロック２１２において、特定の画像に対する表示時間が増す。これは、ディスプレイタイマをリセットする（例えば、５秒タイマをリセットする）ことによって、又は全表示時間を、より大きい値（例えば、１０秒）まで増すことによって、なされることが可能である。表示時間を増すことは、印刷枚数を修正するために、ユーザに追加のボタンを押す時間をより多く与える。
【００６８】
ブロック２１２に続いて、又はユーザが、ブロック２０６において、印刷指令ボタンを押さなかった（ブロック２０６に対して「いいえ」）なら、ブロック２１４において、デジタルカメラ３００における処理装置３２０は、表示時間が完了したかどうかを確認する。もし完了していない（ブロック２１４に対して「いいえ」）なら、ブロック２０６から２１４が繰り返される。もし、ブロック２１４において、表示時間が、時間制限（例えば、もし印刷ボタンが押されなかったなら５秒、もし印刷ボタンが押されたなら１０秒）に到達した（ブロック２１４に対して「はい」）なら、ブロック２１６において、デジタルカメラ３００における処理装置３２０は、現在の画像（例えば、図７における画像６３２）が、メモリカード３３０に記憶された最後の画像（図７におけるＤＣＰ＿１６９４．ＪＰＧと名づけられた画像６４８）であるかどうかを確認する。もし、現在の画像が、最後の画像でない（ブロック２１６に対して「いいえ」）なら、ブロック２１８において、デジタルカメラ３００における処理装置３２０が、次の画像（例えば、図７におけるＤＣＰ＿１６８７．ＪＰＧと名づけられた画像６３４）を取得し、ブロック２０３において、新しい現在の画像のために表示タイマをリセットする。
【００６９】
その後、メモリカード３３０に記憶された画像の全てに対して、ブロック２０３から２１４が繰り返される。ユーザが印刷指令ボタンを押す（ブロック２０６）毎に、現在の画像が何枚印刷されるべきかを示す印刷指令が更新され、現在の画像が、印刷指令にいつ追加されるかに関わらず、表示時間が増加する。従って、ユーザは、画像を進めて、印刷指令を構成するためにボタンを一切押す必要がない。むしろ、画像は自動的に進められ、ユーザは、印刷されるべき特定の画像を選択するとき、ボタンを押すだけでよい。全ての画像（図７における画像６３２から画像６４８）が表示された後、印刷指令が完了する。
【００７０】
もし、現在の画像が最後の画像（ブロック２１６に対して「はい」）なら、ブロック２２０において、印刷指令情報（例えば、印刷されるべき画像の名前、及び各々の画像のコピー枚数）が、表１を参照して先に説明されたＤＰＯＦ印刷指令ファイル等の印刷指令ファイルに変換される。ブロック２２２において、デジタルプリンタ８００等のデジタルプリンタが、印刷指令ファイルに特定された画像を印刷するために使用できる。
【図面の簡単な説明】
【００７１】
【図１】デジタル記憶媒体に画像を撮像して記憶するデジタルカメラのブロック図を示す。
【図２】プリントされる画像を選択するユーザ制御を有するデジタルプリンタのブロック図である。
【図３】デジタルカメラとデジタルプリンタの斜視図である。
【図４】デジタルプリンタの上面図である。
【図５Ａ】デジタルプリンタから印刷する画像を検討かつ選択する第１の方法のフロー図である。
【図５Ｂ】デジタルプリンタから印刷する画像を検討かつ選択する第１の方法のフロー図である。
【図６】デジタルプリンタから印刷する画像を検討かつ選択する第１の方法のフロー図である。
【図７】デジタルカメラによって撮像された画像のファイル構造を示す図である。
【図８Ａ】写真が「スライドショー」モードで選択されるときに使用されるグラフィカルユーザインタフェーススクリーンを示す図である。
【図８Ｂ】写真が「スライドショー」モードで選択されるときに使用されるグラフィカルユーザインタフェーススクリーンを示す図である。
【図９Ａ】異なる印刷モードで使用されるグラフィックユーザインタフェーススクリーンを示す図である。
【図９Ｂ】異なる印刷モードで使用されるグラフィックユーザインタフェーススクリーンを示す図である。
【図９Ｃ】異なる印刷モードで使用されるグラフィックユーザインタフェーススクリーンを示す図である。
【図９Ｄ】異なる印刷モードで使用されるグラフィックユーザインタフェーススクリーンを示す図である。
【図１０】デジタルプリンタから印刷する画像を検討かつ印刷する第２の方法のフロー図である。
【図１１】デジタルプリンタから印刷する画像を検討かつ印刷する第３の方法のフロー図である。
【図１２】デジタルプリンタから印刷する画像を検討かつ印刷する方法のフロー図である。
【符号の説明】
【００７２】
３００  デジタルカメラ
３０２  フラッシュ
３０３  ユーザ制御装置
３０４  制御処理装置およびタイミング生成器
３０６  クロックドライバ
３０８  自動焦点および自動露出検知器
３１０  ズームおよびフォーカスモータ
３１１  光学ビューファインダ
３１２  ズームレンズ
３１４  画像センサ
３１６  アナログ信号処理装置（ＡＳＰ）およびアナログデジタル（Ａ／Ｄ）変換回路
３１８  ＤＲＡＭバッファメモリ
３２０  画像処理装置
３２８  ファームウェアメモリ
３３０  メモリカード
【図１】
2004291630.tif 000004
【図２】
2004291630.tif 000005
【図３】
2004291630.tif 000006
【図４】
2004291630.tif 000007
【図５Ａ】
2004291630.tif 000008
【図５Ｂ】
2004291630.tif 000009
【図６】
2004291630.tif 000010
【図７】
2004291630.tif 000011
【図８Ａ】
2004291630.tif 000012
【図８Ｂ】
2004291630.tif 000013
【図９Ａ】
2004291630.tif 000014
【図９Ｂ】
2004291630.tif 000015
【図９Ｃ】
2004291630.tif 000016
【図９Ｄ】
2004291630.tif 000017
【図１０】
2004291630.tif 000018
【図１１】
2004291630.tif 000019
【図１２】
2004291630.tif 000020
【外国語明細書】
2004291630.tif 000021
2004291630.tif 000022
2004291630.tif 000023
2004291630.tif 000024
2004291630.tif 000025
2004291630.tif 000026
2004291630.tif 000027
2004291630.tif 000028
2004291630.tif 000029
2004291630.tif 000030
2004291630.tif 000031
2004291630.tif 000032
2004291630.tif 000033
2004291630.tif 000034
2004291630.tif 000035
2004291630.tif 000036
2004291630.tif 000037
2004291630.tif 000038
2004291630.tif 000039
2004291630.tif 000040
2004291630.tif 000041
2004291630.tif 000042
2004291630.tif 000043
2004291630.tif 000044
2004291630.tif 000045
2004291630.tif 000046
2004291630.tif 000047
2004291630.tif 000048
2004291630.tif 000049
2004291630.tif 000050
2004291630.tif 000051
2004291630.tif 000052
2004291630.tif 000053
2004291630.tif 000054
2004291630.tif 000055
2004291630.tif 000056
2004291630.tif 000057
2004291630.tif 000058
2004291630.tif 000059
2004291630.tif 000060
2004291630.tif 000061
2004291630.tif 000062